(57)【特許請求の範囲】
【請求項１】
ネット上の情報を取得して表示画面上に閲覧画像として表示するブラウザに組み込まれ、実行指示の操作を受けて、当該操作時に前記ブラウザが表示していた閲覧画像を取得し、当該閲覧画像を送信するアドオンと、
前記アドオンから受信された前記閲覧画像が保存される画像保存装置と、
前記受信された閲覧画像から算出された特徴値が登録されるブロックチェーン装置と、
を備えたことを特徴とする閲覧画像保証システム。
【請求項２】
前記特徴値としてハッシュ値が登録されることを特徴とする請求項１に記載の閲覧画像保証システム。
【請求項３】
前記アドオンは、前記閲覧画像のファイルに改変防止用データを埋め込んで送信することを特徴とする請求項１または２に記載の閲覧画像保証システム。
【請求項４】
前記アドオンは、前記特徴値の登録成功を受けて前記閲覧画像を、前記ブラウザが動作しているハードウェア上にダウンロードすることを特徴とする請求項１から３のいずれか１項に記載の閲覧画像保証システム。
【請求項５】
ネット上の情報を取得して表示画面上に閲覧画像として表示するブラウザに組み込まれ、実行指示の操作を受けて、当該操作時に前記ブラウザが表示していた閲覧画像を取得し、当該閲覧画像を送信するアドオンと、
前記アドオンから前記閲覧画像を受信して画像保存装置に保存し、受信した前記閲覧画像から算出された特徴値をブロックチェーン装置に登録するサーバ装置と、
を備えたことを特徴とする閲覧画像保証システム。
【請求項６】
ネット上の情報を取得して表示画面上に閲覧画像として表示するブラウザに組み込まれ、実行指示の操作を受けて、当該操作時に前記ブラウザが表示していた閲覧画像を取得し、当該閲覧画像を送信するアドオンから受信された前記閲覧画像を保存する画像保存装置と、
前記閲覧画像から算出された特徴値を登録するブロックチェーン装置と、
を備えたことを特徴とする閲覧画像保証サイト。
【請求項７】
ネット上の情報を取得して表示画面上に閲覧画像として表示するブラウザに組み込まれ、実行指示の操作を受けて、当該操作時に前記ブラウザが表示していた閲覧画像を取得し、当該閲覧画像を送信するアドオンからの前記閲覧画像の受信と、
前記閲覧画像の画像保存装置への保存と、
前記閲覧画像から算出された特徴値のブロックチェーン装置への登録と、
を実行することを特徴とする閲覧画像保証サーバ。
【発明の詳細な説明】
【技術分野】
【０００１】
本発明は、閲覧画像保証システム、閲覧画像保証サイトおよび閲覧画像保証サーバに関する。
【背景技術】
【０００２】
従来、ＳＮＳなどに投稿されたコンテンツの真正性を担保するため、ＳＮＳサーバに投稿されたコンテンツ投稿をブロックチェーン技術を用いて登録する技術が提案されている（例えば、特許文献１参照。）。
【先行技術文献】
【特許文献】
【０００３】
【特許文献１】特許第６７６２０５７号公報
【発明の概要】
【発明が解決しようとする課題】
【０００４】
しかし、インターネット等のネットワーク上に存在するコンテンツは膨大であり、真正性が保証されたコンテンツ投稿などは一部分に過ぎないため、閲覧者が過去に閲覧したことがあるコンテンツについて閲覧後に改変が行われても、改変の事実を閲覧者が主張・証明できる場合は少ない。例えばネット上で不正な販売サイトなどを発見した場合に、閲覧画像を保存していても、閲覧後にサイトが削除や改変されると、保存していた閲覧画像の真正性を主張・証明することが難しい。
【０００５】
また、閲覧者がインターネット等を介して閲覧した情報を第三者に開示や提供などする場合（例えばアフィリエイト広告の実績をネット上で閲覧・確認し、その閲覧画像を広告主に示す場合など）に、その情報が閲覧時から改変されていない真正の情報であることを閲覧者が証明することは困難である。
本発明は、上記事情に鑑み、閲覧時に画像として表示された情報の真正性を閲覧者側のシステムによって保証することを目的とする。
【課題を解決するための手段】
【０００６】
本発明の閲覧画像保証システムは、ネット上の情報を取得して表示画面上に閲覧画像として表示するブラウザに組み込まれ、実行指示の操作を受けて、当該操作時に上記ブラウザが表示していた閲覧画像を取得し、当該閲覧画像を送信するアドオンと、上記アドオンから受信された上記閲覧画像を保存する画像保存装置と、上記受信された閲覧画像から算出された特徴値を登録するブロックチェーン装置と、を備えている。
【０００７】
上記閲覧画像保証システムによれば、ブラウザに組み込まれたアドオンの実行操作によって閲覧画像が画像保存装置に保存されると共に閲覧画像の特徴値がブロックチェーン装置に登録される。ここで特徴値としては、例えばハッシュ値などのように、閲覧画像が改変された場合に値が変化するものが用いられる。
【０００８】
ブロックチェーンに登録された特徴値はその後の改変が困難となるので、閲覧画像の真正性の証明が必要となった場合には、その閲覧画像から改めて算出した特徴値とブロックチェーンに登録されている特徴値とをつきあわせることにより第三者などに対しても真正性の客観的な証明が可能となる。上記閲覧画像保証システムは、閲覧者によって閲覧されるサイトなどの投稿者側における協力を得なくても閲覧者側のみで構築可能である。
【０００９】
また、上記閲覧画像保証システムによれば、ブラウザに組み込まれたアドオンと他の装置との連携によって閲覧画像が保存されるので、閲覧者は容易に閲覧画像を保存することが出来、閲覧者による閲覧画像の改変も抑制され、さらに、素性の分からない画像が他から紛れ込むことも抑制される。従って、上記閲覧画像保証システムによれば、保存される閲覧画像の真正性が高い。
【００１０】
上記閲覧画像保証システムにおいて、上記特徴値としてハッシュ値が登録されることが好ましい。ハッシュ値は、閲覧画像の些細な改変であっても大きく値が変化するので、閲覧画像の改変の有無を判定する為の特徴値として特に適している。
【００１１】
また、上記閲覧画像保証システムにおいて、上記アドオンは、上記閲覧画像のデータに改変防止用データを埋め込んで送信することが望ましい。この望ましい構成によれば、閲覧者による閲覧画像の改変が強く抑制されると共に、アドオンから送信された後の閲覧画像の改変についても抑制される。改変防止用データとしては、例えば改変防止文字列のデータであってもよい。
【００１２】
また、上記閲覧画像保証システムにおいて、上記アドオンは、上記特徴値の登録成功を受けて上記閲覧画像を、上記ブラウザが動作しているハードウェア上にダウンロードすることも好ましい。保存された閲覧画像が閲覧者の手元に残ることで第三者への閲覧画像の提示や保存済みの閲覧画像の確認などが容易となる。
【００１３】
本発明の閲覧画像保証システムは、上記アドオンと、上記アドオンから上記閲覧画像を受信して画像保存装置に保存し、受信した上記閲覧画像から算出された特徴値をブロックチェーン装置に登録するサーバ装置と、を備えたものであってもよい。このような閲覧画像保証システムにおいても、上記と同様に閲覧画像の真正性が保証される。
【００１４】
本発明の閲覧画像保証サイトは、上記画像保存装置と上記ブロックチェーン装置とを備えている。このような閲覧画像保証サイトが例えばインターネット上などに設けられていることにより、閲覧者側ではブラウザにアドオンを導入するだけで上記閲覧画像保証システムを利用することが出来る。
【００１５】
本発明の閲覧画像保証サーバは、上記アドオンからの上記閲覧画像の受信と、上記閲覧画像の画像保存装置への保存と、上記閲覧画像から算出された特徴値のブロックチェーン装置への登録と、を実行する。このような閲覧画像保証サーバによれば、既存の画像保存装置やブロックチェーン装置を利用して本発明の閲覧画像保証サイトを容易に構築することができる。
【発明の効果】
【００１６】
本発明によれば、閲覧時に画像として表示された情報の真正性が閲覧者側に構築されたシステムによって保証される。
【図面の簡単な説明】
【００１７】
【図１】本発明の閲覧画像保証システムの一実施形態を表した概念構成図である。
【図２】閲覧画像保証システムにおけるメイン機能の処理動作を概念的に示した図である。
【図３】閲覧画像保証システムにおける付帯機能の処理動作を概念的に示した図である。
【発明を実施するための形態】
【００１８】
本発明の実施形態について、以下図面を参照して説明する。但し、以下の説明が不必要に冗長になるのを避け、当業者の理解を容易にするため、必要以上に詳細な説明は省略する場合がある。例えば、既によく知られた事項の詳細説明や実質的に同一の構成に対する重複説明を省略する場合がある。また、先に説明した図に記載の要素については、後の図の説明において適宜に参照する場合がある。
図１は、本発明の閲覧画像保証システムの一実施形態をした概念構成図である。
本実施形態の閲覧画像保証システム１００は、通信ネットワーク２００を介して相互に通信を行うユーザ装置１１０とサーバ装置１２０とを備えている。
【００１９】
ユーザ装置１１０とサーバ装置１２０が通信ネットワーク２００を介して結合されることで本実施形態の閲覧画像保証システム１００が構築されるが、結合のための通信ネットワーク２００自体はインターネットや携帯電話網等に代表される外部のネットワークである。但し、本発明の閲覧画像保証システムにおいては、システムの各部を結合するネットワーク自体を内部構成として含んでもよい。
【００２０】
また、本実施形態の閲覧画像保証システム１００は、分散台帳システム１３０、ブロックチェーンシステム１４０、およびデータベース１５０を備えており、サーバ装置１２０は、分散台帳システム１３０、ブロックチェーンシステム１４０、およびデータベース１５０と、ケーブルなどによる直接接続あるいはネットワークなどを介した間接接続によって接続されている。
【００２１】
ユーザ装置１１０は、ユーザによって操作されるコンピュータである。ユーザ装置１１０は、通信ネットワーク２００を介して例えばＷｅｂサイト上の情報を、図示が省略された表示画面上で閲覧するブラウザ１１１を内部機能として有している。ブラウザ１１１には、ブラウザ１１１によって表示された閲覧内容を画像（以下この画像を閲覧画像と称する）として保存するためのアドオン１１２が組み込まれている。このアドオン１１２が、本発明にいうアドオンの一例に相当する。
【００２２】
閲覧画像保証システム１００を用いて閲覧画像の保証を求めるユーザは、ユーザ装置１１０のブラウザ１１１にアドオン１１２を組み込むことでユーザ装置１１０を閲覧画像保証システム１００の一部とする。即ち、ユーザは、ブラウザ１１１にアドオン１１２を組み込むだけで閲覧画像保証システム１００を利用することができる。アドオン１１２の具体的な機能については後述する。
【００２３】
サーバ装置１２０は、通信ネットワーク２００上に設けられた閲覧画像保証サイト１６０の制御装置として機能し、ユーザ装置１１０からみると閲覧画像保証サイト１６０の入り口となる。閲覧画像保証サイト１６０は、ユーザ装置１１０側から送られてくる閲覧画像を保存するものである。この閲覧画像保証サイト１６０は、サーバ装置１２０と分散台帳システム１３０とブロックチェーンシステム１４０とデータベース１５０からなり、本発明の閲覧画像保証サイトの一実施形態に相当する。また、サーバ装置１２０は本発明の閲覧画像保証サーバの一実施形態に相当する。
【００２４】
分散台帳システム１３０は、閲覧画像を保存するシステムである。本実施形態で用いられる分散台帳システム１３０は、例えばＩＰＦＳ（登録商標）によって実現され、複数のノード１３１がＰ２Ｐネットワーク技術によって結合されている。複数のノード１３１は、複数のコンピュータであってもよいし、あるいは、１つのコンピュータが機能分割されたものでもよい。
【００２５】
分散台帳システム１３０は、本発明にいう画像保存装置の一例に相当する。なお、本発明にいう画像保存装置は、ノードを有さない単独の記録装置であってもよいし、あるいは、ハードウェアの場所や数が特定されないクラウド上の仮想的な装置であってもよい。
【００２６】
ブロックチェーンシステム１４０は、閲覧画像のハッシュ値をブロックチェーンで保存するシステムである。ブロックチェーンシステム１４０も、例えばＩＰＦＳ（登録商標）によって実現され、複数のノード１４１がＰ２Ｐネットワーク技術によって結合されている。ブロックチェーンシステム１４０における複数のノード１４１も、複数のコンピュータであってもよいし、あるいは、１つのコンピュータが機能分割されたものでもよい。
【００２７】
ブロックチェーンシステム１４０は、本発明にいうブロックチェーン装置の一例に相当する。本発明にいうブロックチェーン装置は、ハードウェアの場所や数が特定されないクラウド上の仮想的な装置であってもよい。
【００２８】
図１に示された分散台帳システム１３０およびブロックチェーンシステム１４０は模式的な概念として示されており、分散台帳システム１３０およびブロックチェーンシステム１４０におけるノード１３１，１４１の数は図示された数に限定されない。
データベース１５０は、閲覧画像に関連づけられた関連情報を記憶する装置である。
図２は、閲覧画像保証システムにおけるメイン機能の処理動作を概念的に示した図である。
閲覧画像保証システム１００の処理動作は、ユーザ装置１１０側の処理動作とサーバ装置１２０側（即ち閲覧画像保証サイト１６０）の処理動作に大別される。
【００２９】
ユーザは、閲覧画像保証システム１００を利用するための事前準備として、ブラウザ１１１が起動されているユーザ装置１１０を操作してユーザ情報を入力する。入力されたユーザ情報は、アドオン１１２によって取り込まれて所定の記憶場所に保管される（ステップＳ１０１）。
【００３０】
事前準備を終えたユーザは、ブラウザ１１１によってウェブサイトなどの閲覧を行い（ステップＳ１０２）、閲覧内容の保証を望むサイトが見つかった場合にはアドオン１１２に対し、画像アップロードの実行を指示する実行操作（例えばメニュー選択の操作やアイコンのクリック操作）を行う。
【００３１】
実行操作を受けたアドオン１１２は、まず、ブラウザ１１１によって表示されている閲覧画像を画像ファイルとして取得する（ステップＳ１０３）。具体的には、ＨＴＭＬ解析またはブラウザＡＰＩが用いられて、ブラウザ１１１のウィンドウ内に表示されている表示内容が画像ファイルに変換される。なお、画像ファイルの取得としては、液晶画面などへの表示に用いられた表示データがキャプチャされて画像ファイルに変換されてもよい。
【００３２】
次に、アドオン１１２は、閲覧画像の画像ファイルに対し、改ざん防止文字列を埋め込む（ステップＳ１０４）。具体的には、画像ファイルにおける”ＡＰＰ０”領域と”ＤＱＴ”領域の間に改ざん防止文字列が埋め込まれる。改ざん防止文字列が埋め込まれた画像ファイルは、アドオン１１２によって所定の記憶場所に一時的に保管される。
【００３３】
更に、アドオン１１２は、改ざん防止文字列が埋め込まれた画像ファイルを、保管していたユーザ情報とともに閲覧画像保証サイト１６０にアップロードする（ステップＳ１０５）。具体的には、アドオン１１２は、閲覧画像保証サイト１６０の入り口であるサーバ装置１２０に向けて画像ファイルおよびユーザ情報を送信する。
【００３４】
アドオン１１２は、実行操作を受けることで上記の画像ファイル取得と、改ざん防止文字列の埋め込みと、画像ファイル等のアップロードとを自動的に実行する。従って、ユーザは実行操作のみで容易に閲覧画像をアップロードすることができる。一方、アドオン１１２がアップロードする閲覧画像に対し、ユーザが改変や差し替えを行うことが難しく、アップロードされる閲覧画像の真正性が保たれる。
【００３５】
また、閲覧画像のアップロードは、アドオン１１２とサーバ装置１２０との連携によって実行されるので、素性の分からない画像が閲覧画像保証システム１００の外から紛れ込むことも抑制される。
【００３６】
更に、本実施形態では、アップロードする閲覧画像に対してアドオン１１２が改ざん防止文字列を埋め込むため、アップロード前後における閲覧画像の改ざんや差し替えがより一層抑制され、閲覧画像の真正性が高い。
【００３７】
閲覧画像の画像ファイルがアップロードされた閲覧画像保証サイト１６０では、サーバ装置１２０が画像ファイルを受信して分散台帳システム１３０に登録する（ステップＳ１０５）。具体的には、サーバ装置１２０が分散台帳システム１３０のノード１３１の一つに画像ファイルを記憶させると、ノード１３１が画像ファイルを適宜に複製などすることにより、画像ファイルが分散台帳システム１３０内の複数のノード１３１によって共有される。
【００３８】
画像ファイルが登録された分散台帳システム１３０では、登録された画像ファイルのハッシュ値が算出される（ステップＳ１０６）。算出されたハッシュ値は、サーバ装置１２０によってブロックチェーンシステム１４０へと送られてブロックチェーンに登録される（ステップＳ１０７）。ブロックチェーンシステム１４０における画像ファイルのハッシュ値登録に際しては、登録の日付も併せて登録される。画像ファイルそのものをブロックチェーンに登録することはデータ量が大きすぎて登録が困難であるが、画像ファイルのハッシュ値が登録対象とされることにより、データ量が抑えられて登録可能となる。なお、ブロックチェーンシステム１４０の登録対象は、閲覧画像が改変された場合に値が変化する特徴値であればよいが、ハッシュ値は、閲覧画像の画像ファイルに対してデータ量が十分に小さく、画像ファイルに対して些細な改変が施された場合にも大きく値が変化するという特徴を有するため、ブロックチェーンシステム１４０への登録対象として特に適している。
【００３９】
ブロックチェーンシステム１４０によって画像ファイルのハッシュ値登録が成功した場合には、成功の旨がブロックチェーンシステム１４０からサーバ装置１２０に伝えられ、サーバ装置１２０は、アドオン１１２から画像ファイルと共に送られてきていたユーザ情報などを関連情報としてデータベース１５０に登録する（ステップＳ１０８）。
閲覧画像保証サイト１６０における登録結果は、サーバ装置１２０を介してアドオン１１２へと通知される（ステップＳ１０９）。
【００４０】
アドオン１１２では、閲覧画像保証サイト１６０から登録成功の通知を受けた場合には、ブラウザ１１１の機能によって閲覧画像のダウンロードが行われる（ステップＳ１１０）。具体的には、上記ステップＳ１０４で一時的に保管されていた画像ファイルが、ハードディスク装置などといったユーザの認識しているダウンロード場所に記憶される。ダウンロードの手順として、アドオン１１２は、まず＜ａタグ＞を作成して一時保管の画像ファイルをリンクする。次にアドオン１１２は、＜ａタグ＞のクリック処理をブラウザ１１１に実行させる。これにより、ブラウザ１１１は、一時保管の画像ファイルをダウンロード場所に記憶する。最後にアドオン１１２は＜ａタグ＞を削除する。
【００４１】
ブラウザ１１１によってダウンロードされた閲覧画像は、ユーザが適宜に参照することができるとともに、第三者に対して閲覧内容を示す場合などには、ダウンロードされた閲覧画像をコピーして閲覧内容を示すことができる。
【００４２】
閲覧画像保証サイト１６０のブロックチェーンシステム１４０に登録されたハッシュ値は、ブロックチェーン技術の効果によって改ざんが困難となる。従って、例えば第三者に示した閲覧画像について真正性の確認が必要となった場合には、その閲覧画像から改めて算出されたハッシュ値と、ブロックチェーンシステム１４０に登録されたハッシュ値との比較によって真正性の確認が可能となる。なお、上述した閲覧画像保証システム１００には、閲覧画像の真正性を容易に確認するための機能や登録済みの閲覧画像の一覧を得る機能なども備えられているが、既存の周知技術によって実現される機能であるため詳細説明は省略する。
【００４３】
上記閲覧画像保証システム１００においては、上述したように機能するサーバ装置１２０によって閲覧画像保証サイト１６０が容易に構築される。分散台帳システム１３０やブロックチェーンシステム１４０がクラウド上の既存システムである場合にはサーバ装置１２０による閲覧画像保証サイト１６０の構築が特に効率的である。
図２に示した処理動作は、閲覧画像保証システム１００におけるメイン機能である。次に、このメイン機能を用いた付帯機能について説明する。
【００４４】
図３は、閲覧画像保証システムにおける付帯機能の処理動作を概念的に示した図である。図３では、閲覧画像保証システム１００のデータベース１５０については図示が省略されている。
閲覧画像保証システム１００における付帯機能では、ブラウザ１１１によって閲覧されるＷｅｂサイト３００の真贋判定が可能となる。
【００４５】
まず、Ｗｅｂサイト３００では事前準備として、サイト上に掲載する画像ファイルに掲載サイトのＵＲＬを埋め込み（ステップＳ２０１）、ＵＲＬが埋め込まれた画像ファイルを上述したメイン機能によって閲覧画像保証サイト１６０に登録する（ステップＳ２０２）。画像ファイルは分散台帳システム１３０に登録され、画像ファイルのハッシュ値はブロックチェーンシステム１４０に登録される（ステップＳ２０３）。
【００４６】
事前準備が完了したら、Ｗｅｂサイト３００では、ＵＲＬが埋め込まれた画像ファイルを、サイトページに含まれた特定タグ内に掲載し（ステップＳ２０４）、ブラウザ１１１による閲覧が可能となる。
【００４７】
ブラウザ１１１によってＷｅｂサイト３００が閲覧される際にはアドオン１１２による付帯機能の処理が開始され、アドオン１１２は、上記特定タグ内の画像ファイルを取得する（ステップＳ２０５）。画像ファイルの取得に際してアドオン１１２は、画像ファイルが掲載されていたサイトのＵＲＬ情報も取得し、更に、取得した画像ファイルのハッシュ値も認証用に算出する。
【００４８】
画像ファイルを取得したアドオン１１２は、Ｗｅｂサイト３００の真偽判定を求めて閲覧画像保証サイト１６０に、画像ファイル、ＵＲＬ情報、および認証キーをアップロードする（ステップＳ２０６）。認証キーは、アドオン１１２により、システム日付や画像ファイル等に基づいて特定の算出方法で算出される。当該算出方法は、閲覧画像保証システム１００内で取り決められた秘密の算出方法である。
【００４９】
閲覧画像保証サイト１６０ではサーバ装置１２０がアドオン１１２からの送信データを受信し、まず、認証キーによってＡＰＩ認証を行う。具体的には、サーバ装置１２０内で上記算出方法によって認証キーを算出し、アドオン１１２から送られてきた認証キーと比較する。認証キーが一致した場合には、送信データがアドオン１１２から送られてきたデータであることが確認される。
次に、閲覧画像保証サイト１６０では、アドオン１１２から送られてきた画像ファイルのハッシュ値とブロックチェーンシステム１４０に登録されたハッシュ値とが比較されて画像ファイルの真贋判定が行われる（ステップＳ２０７）。なお、サーバ装置１２０は、アドオン１１２から送られてきた画像ファイルを分散台帳システム１３０に送ることにより、分散台帳システム１３０にハッシュ値を算出させて真贋判定に用いる。ここでハッシュ値が不一致であった場合には、画像ファイルの改ざんやすり替えが行われた可能性がある。
【００５０】
ハッシュ値が一致して画像ファイルの真正性が確認された場合、次にサーバ装置１２０は、画像ファイルに埋め込まれているＵＲＬを取り出し（ステップＳ２０８）、アドオン１１２から送信されてきたＵＲＬ情報と比較して真贋判定を行う（ステップＳ２０９）。ここでＵＲＬが不一致であった場合には、画像ファイルが不正にコピーされた偽サイトなどの可能性がある。
【００５１】
サーバ装置１２０は、真贋判定の結果をアドオン１１２に通知し（ステップＳ２１０）、アドオン１１２は、判定結果に応じた通知をブラウザ１１１に表示させ、この表示によってユーザはサイトの真贋を確認することができる。判定結果に応じた通知の表示としては、例えばアドレスバーの表示色を、真＝緑、贋＝赤とする方法がある。
【００５２】
上述した付帯機能では、画像ファイルの認証とＵＲＬの真贋判定という２段階の認証・判定が行われるので、真贋判定の厳密性が高い。このような付帯機能により、偽サイトへの誘導などが防止され、Ｗｅｂサイト３００の安全な閲覧が可能となる。
【符号の説明】
【００５３】
１００……閲覧画像保証システム、  １１０……ユーザ装置、  １１１……ブラウザ、
１１２……アドオン、  １２０……サーバ装置、  １３０……分散台帳システム、
１４０……ブロックチェーンシステム、  １３１，１４１……ノード、
１５０……データベース、  １６０……閲覧画像保証サイト、
２００……通信ネットワーク、  ３００……Ｗｅｂサイト
【要約】
【課題】閲覧時に画像として表示された情報の真正性を閲覧者側のシステムによって保証する。
【解決手段】閲覧画像保証システムは、ネット上の情報を取得して表示画面上に閲覧画像として表示するブラウザに組み込まれ、実行指示の操作を受けて、当該操作時に上記ブラウザが表示していた閲覧画像を取得し、当該閲覧画像を送信するアドオンと、上記アドオンから受信された上記閲覧画像を保存する画像保存装置と、受信された上記閲覧画像から算出された特徴値を登録するブロックチェーン装置と、を備える。
【選択図】    図２【図１】
0006905244.tif 000002
【図２】
0006905244.tif 000003
【図３】
0006905244.tif 000004